(57)【要約】【課題】  放電領域全体での均一な放電を可能にして平均輝度が増加し、十分な放電距離の確保により陽光柱放電が可能な、面放電型プラズマディスプレイパネルを提供する。【解決手段】  二枚の基板１００，２００による放電空間内で、何れか１枚の基板の内面にマトリックス状に配列される単位画素領域が形成され、前記各単位画素領域には相互に対向する透明性放電保持電極１３０ａ、１３０ｂが前記基板の内面に配置され、前記単位画素領域を取り囲む形態に配置されており、前記透明性放電保持電極１３０ａ、１３０ｂの外側に接触する２つのバス電極１４０、１４１を備えるプラズマディスプレイパネル。【選択図】図３
2005183391.tif 000002
【特許請求の範囲】
【請求項１】
二枚の基板による放電空間内で、何れか１枚の基板の内面にマトリックス状に配列される単位画素領域が形成され、
前記各単位画素領域には相互に対向する透明性放電保持電極が前記基板の内面に配置され、
前記単位画素領域を取り囲む形態に配置されており、前記透明性放電保持電極の外側に接触する２つのバス電極を備えることを特徴とするプラズマディスプレイパネル。
【請求項２】
前記放電保持電極は、単位画素領域に対応して複数の要素に分割されていることを特徴とする請求項１に記載のプラズマディスプレイパネル。
【請求項３】
相互に対面する第１基板及び第２基板と、
前記第１基板の内面で放電領域を挟んで相互に平行に形成される第１バス電極及び第２バス電極と、
前記放電領域上に備えられ、第１バス電極及び第２バス電極に連結される第１放電保持電極及び第２放電保持電極と、を備えるプラズマディスプレイパネルであって、
前記第１バス電極及び第２バス電極の少なくとも１つは、前記放電領域に向かって所定長さ延びる拡張バスラインを有し、
前記放電保持電極は、前記拡張バスラインにより取り囲まれて前記バス電極及び拡張バスラインに連結されていることを特徴とするプラズマディスプレイパネル。
【請求項４】
前記拡張バスラインが形成されるバス電極は、前記放電保持電極に沿って延び、当該放電保持電極よりも幅の狭いメインバスラインと、当該メインバスラインからその直交方向に延びる拡張バスラインと、を有するコーム状であることを特徴とする請求項３に記載のプラズマディスプレイパネル。
【請求項５】
前記第１バス電極及び第２バス電極は、何れも前記拡張バスラインを有し、当該第１バス電極及び第２バス電極の間に形成される放電領域を中心に対称的に形成されていることを特徴とする請求項４に記載のプラズマディスプレイパネル。
【請求項６】
前記第１基板と第２基板の間に隔壁が形成されており、
当該隔壁は、前記拡張バスラインとオーバーラップして配置されていることを特徴とする請求項３ないし５のうち何れか１項に記載のプラズマディスプレイパネル。
【請求項７】
前記拡張バスラインが形成されたバス電極は、前記放電保持電極の伸延方向に沿って形成されるメインバスラインを有し、
前記第１基板と第２基板の間には、前記メインバスラインおよび拡張バスラインの両方にオーバーラップするマトリックス状の隔壁が備えられていることを特徴とする請求項３ないし５のうち何れか１項に記載のプラズマディスプレイパネル。
【請求項８】
相互に対面する第１基板及び第２基板と、
前記第１基板の内面で放電領域を挟んで相互に平行に形成されるメインバスライン、及び各メインバスラインから放電領域に延びる拡張バスラインを有する第１バス電極及び２バス電極と、
前記放電領域上に形成されており、前記第１バス電極及び第２バス電極のそれぞれに連結され、前記拡張バスラインに電気的に接続される放電保持電極と、を備え、
前記放電保持電極は、分割された複数の放電保持電極要素を備えることを特徴とするプラズマディスプレイパネル。
【請求項９】
前記第１バス電極及び第２バス電極は、当該第１バス電極と第２バス電極の間の放電領域を中心に対称的に形成されていることを特徴とする請求項８に記載のプラズマディスプレイパネル。
【請求項１０】
前記放電保持電極要素は、前記拡張バスラインからメインバスラインに平行に延びることを特徴とする請求項８または９に記載のプラズマディスプレイパネル。
【請求項１１】
前記第１基板と第２基板の間に隔壁が形成されており、
当該隔壁は、前記拡張バスラインにオーバーラップして配置されていることを特徴とする請求項８または９に記載のプラズマディスプレイパネル。
【請求項１２】
前記第１基板と第２基板の間には、前記メインバスラインと拡張バスラインの両方にオーバーラップするマトリックス状の隔壁が備えられていることを特徴とする請求項８または９に記載のプラズマディスプレイパネル。
【発明の詳細な説明】
【技術分野】
【０００１】
本発明はプラズマディスプレイパネル（ｐｌａｓｍａ  ｄｉｓｐｌａｙ  ｐａｎｅｌ；ＰＤＰ）に係り、特に面放電型ＰＤＰに関する。
【背景技術】
【０００２】
面放電型ＰＤＰは、放電が基板に平行に起こる構造を有している。このようなＰＤＰは、前面板側に放電保持電極が備えられる構造を有し、画素領域に光透過部分が形成されるように、光透過性物質により形成される。ＩＴＯ（ｉｎｄｉｕｍ  ｔｉｎ  ｏｘｉｄｅ）は光透過性導電物質であり、透明な電極材料として広く使われている。ＩＴＯのような光透過性物質は抵抗が高いためプラズマ放電領域に部分的に使用され、ＩＴＯ電極に対する電気的信号伝達は、低抵抗性金属物質よりなるバスラインを通じてなされる。
【０００３】
図１は、面放電型ＰＤＰの典型的な構造を示す概略的な斜視図であり、図２はその放電構造を示す概略的な断面図である。
【０００４】
図１及び図２を参照すれば、第１基板１０の内面に相互に平行な透明性放電保持電極１３ａ、１３ｂが複数組形成され、各放電保持電極１３ａ、１３ｂ上には前述したようなバスライン１４ａ、１４ｂが形成されている。前記放電保持電極１３ａ、１３ｂとバスライン１４ａ、１４ｂ上には誘電物質層１１が形成されており、その上に保護層１２が形成されている。そして、第２基板２０の内面には前記放電保持電極１３ａ、１３ｂの直交方向に延びる所定高さの隔壁２１が複数平行に形成されており、これらの間の第２基板２０の表面にアドレス電極２２が形成されている。また、前記アドレス電極２２上には誘電物質層２３が形成されている。図２に示されるように、前記第２基板２０で隔壁２１の側面とこれらの間の誘電体層２３上に蛍光体層２４が形成されている。
【０００５】
特許文献１は、図１及び図２に示された形のＰＤＰに比べて放電特性及び効率が改善された面放電型ＰＤＰに関するものである。特許文献１に開示されたＰＤＰの低抵抗性バス電極は、複数に分割された透明性保持電極の配列に電気的に連結される構造を有している。
【０００６】
このようにバス電極に対して複数に分割された形態の放電保持電極が配列される構造は、望ましくない位置での誤放電、例えば隣接した放電セル間の放電または画素領域を外れた部分での放電を防止する。
【０００７】
このような面放電型ＰＤＰにおいて依然として残る課題は、各単位放電セルでの均一な強度の放電を得ることである。放電強度の局部的な差は、電極の局部的な電流供給の不均一性などに起因し、このような差により、放電セル内の特定部分で放電が集中し、結果的にその残りの部分では相対的に弱い放電が起こるか、あるいは全く放電が起こらない。このような不均一な放電は、結果的に放電セルでの平均輝度の低下を招く。
【特許文献１】米国特許第６、３３５、５９２号明細書
【発明の開示】
【発明が解決しようとする課題】
【０００８】
本発明が解決しようとする技術的課題は、単位放電セルで全体的に均一な放電が可能で局部的な輝度差が減少することによって、全体的な平均輝度が向上するＰＤＰを提供することである。
【課題を解決するための手段】
【０００９】
本発明によるＰＤＰは、二枚の基板による放電空間内で、何れか１枚の基板の内面にマトリックス状に配列される単位画素領域が形成され、前記各単位画素領域には相互に対向する透明性放電保持電極が前記基板の内面に配置され、前記単位画素領域を取り囲む形態に配置されており、前記透明性放電保持電極の外側に接触する２つのバス電極を備える。
【００１０】
望ましい一実施形態によれば、前記放電保持電極は単位画素領域に対応して複数要素として分割される。
【００１１】
本発明の他の類型によれば、相互に対面する第１基板及び第２基板と、前記第１基板の内面で放電領域を挟んで相互に平行に形成される第１バス電極及び２バス電極と、前記放電領域上に備えられ、第１バス電極及び第２バス電極に連結される第１放電保持電極及び第２放電保持電極と、を備えるプラズマディスプレイパネルであって、前記第１バス電極及び第２バス電極の少なくとも１つは、前記放電領域に向かって所定長さ延びる拡張バスラインを有し、前記放電保持電極は拡張バスラインにより取り囲まれて前記バス電極及び拡張バスラインに連結されていることを特徴とするＰＤＰが提供される。
【００１２】
本発明の他の実施形態によれば、前記拡張バスラインが形成されるバス電極は、前記放電保持電極に沿って延び、当該放電保持電極よりも幅の狭いメインバスラインと、当該メインバスラインからこれに直交方向に延びる拡張バスラインと、を有するコーム状である。
【００１３】
また、前記第１バス電極及び第２バス電極は、何れも前記拡張バスラインを有し、当該第１バス電極及び第２バス電極の間に形成される放電領域を中心に対称的に形成されており、前記隔壁は前記拡張バスラインにオーバーラップして配置されている。
【００１４】
本発明の具体的な実施形態によれば、前記拡張バスラインが形成されたバス電極は放電保持電極の延長方向に沿って形成されるメインバスラインを有し、前記第１基板と第２基板の間には前記メインバスライン及び拡張バスラインの両方にオーバーラップするマトリックス状の隔壁が備えられている。
【００１５】
本発明のさらに他の類型によれば、相互に対面する第１基板及び第２基板と、前記第１基板の内面で放電領域を挟んで相互に平行に形成されるメインバスライン、及び各メインバスラインから放電領域に延びる拡張バスラインを有する第１バス電極及び２バス電極と、前記放電領域上に形成されており、前期第１バス電極及び第２バス電極のそれぞれに連結され、前記拡張バスラインに電気的に接続される放電保持電極と、を備え、前記放電保持電極は、分割された複数の放電保持電極要素を備えるＰＤＰが提供される。
【００１６】
望ましくは、前記放電保持電極要素は前記拡張バスラインからメインバスラインに平行に延び、前記第１基板と第２基板の間に隔壁が形成されており、当該隔壁は、前記拡張バスラインにオーバーラップして配置されている。また、さらに他の類型によれば、前記第１基板と第２基板の間には、前記メインバスラインと拡張バスラインの両方にオーバーラップするマトリックス状の隔壁が備えられている。
【発明の効果】
【００１７】
本発明によれば、単位放電領域で全般的に均一な放電が可能となる。このような均一な放電は平均輝度の増大を可能にし、さらに多量の紫外線が得られる。
【発明を実施するための最良の形態】
【００１８】
以下に、添付した図面に基づいて本発明を詳細に説明する。後述する本発明に係るＰＤＰは、基板の平面方向に放電が進行する面放電型構造を有する。一般的によく知られた技術については、下記実施形態ではその説明を省略する。
【００１９】
図３は、本発明の望ましい実施形態に係る面放電型ＰＤＰであって、本発明を特徴づけるコーム状のバスラインを有するＰＤＰの概略的な斜視図である。
【００２０】
図３を参照すれば、第１基板１００の内面に相互に平行する透明性帯状の放電保持電極１３０ａ、１３０ｂが２個１組で複数組が平行に形成され、各放電保持電極１３０ａ、１３０ｂ上には前述したような本発明を特徴づけるコーム状の第１、第２バス電極１４０、１４１が形成されている。第１、第２バス電極１４０、１４１は、放電保持電極の延長方向に沿って形成される直線的メインバスライン１４０ａ、１４１ａと、その直交方向に延びる拡張バスライン１４０ｂ、１４１ｂを有する。このようなバスラインを有する第１、第２バス電極１４０、１４１は、保持電極１３０ａ、１３０ｂ上で単位放電領域、すなわち単位画素領域を取り囲む形に形成され、具体的な形態については後述する。前記放電保持電極１３０ａ、１３０ｂと第１、第２バス電極１４０、１４１上には誘電物質層１１０が形成されており、その上に保護層１２０が形成されている。そして、第２基板２００の内面には従来のＰＤＰと同様に、前記放電保持電極１３０ａ、１３０ｂの直交方向に延びる所定高さの隔壁２１０が複数平行に形成されており、これらの間の第２基板２００の表面にアドレス電極２２０が形成されている。また、前記アドレス電極２２０上には誘電物質層２３０が形成されている。
【００２１】
図４は、前記第１、第２バス電極１４０、１４１の具体的な形態を示す第１基板１００の内面を示す斜視図である。
【００２２】
図４を参照すれば、第１基板１００の内面に複数の帯状の第１、第２放電保持電極１３０ａ、１３０ｂが交互に複数平行に形成され、その上に対応するコーム状の第１、第２バス電極１４０、１４１が形成されている。放電保持電極１３０ａ、１３０ｂはＩＴＯのような高抵抗性透明物質により形成され、前記第１、第２バス電極１４０、１４１は低抵抗の金属物質により形成される。
【００２３】
図５は、図３及び図４に示された本発明に係るＰＤＰで放電保持電極とバスラインとの配置関係をより具体的に示す抜粋平面図であり、図６は１つの単位放電領域を抜粋して示す概略的斜視図であり、図７は１つの単位放電領域の放電構造を示す抜粋平面図である。
【００２４】
図５及び図６を参照すれば、線状の放電領域の両側に透明性放電保持電極１３０ａ、１３０ｂが形成されており、その上にコーム状の第１、第２バス電極１４０、１４１が形成されている。図５に示されるようにコーム状のバス電極１４０、１４１は、メインバスライン１４０ａ、１４１ａと、これより拡張された拡張バスライン１４０ｂ、１４１ｂにより、単位放電領域（画素）を取り囲む形に配置されている。
【００２５】
このような構造によれば、放電が発生する第１放電保持電極１３０ａと第２放電保持電極１３０ｂに対する電気的抵抗が低減され、これにより、放電保持電極１３０ａ、１３０ｂに対する電流供給量が増大され、図７に示されるように放電保持電極１３０ａ、１３０ｂの全面を通じた放電が可能となり、全放電領域で均一な放電を期待しうる。これは単に帯状よりなっている従来のＰＤＰでのバス電極の短所を改善したものである。
【００２６】
図８は、本発明の第２の実施形態に係るＰＤＰで、バス電極が前述したようにコーム状の形状を保持し、放電保持電極がタイル状に複数分割されている形の放電保持電極を示す斜視図であり、図９はその平面図である。
【００２７】
図８及び図９を参照すれば、コーム状の第１、第２バス電極１４０、１４１の間に備えられている第１放電保持電極１３０ａと第２放電保持電極１３０ｂが、４つに分割された放電保持電極要素１３１ａ、１３２ａ、１３３ａ、１３３ａ、１３４ａ、１３１ｂ、１３２ｂ、１３３ｂ、１３４ｂを有している。ここで、放電保持電極要素は全て第１、第２バス電極１４０、１４１の拡張バスライン１４０ｂ、１４１ｂからメインバスライン１４０ａ、１４１ａと平行した方向に延びる形態を有し、メインバスライン１４０ａ、１４１ａに隣接した内側の電極要素１３１ａ、１３２ａ、１３１ｂ、１３２ｂは、メインバスライン１４０ａ、１４１ａと拡張バスライン１４０ｂ、１４１ｂの両方に電気的に接続される構造を有する。
【００２８】
したがって、図１０に示されるように放電が進行する間、前記電極要素１３１ａ、１３２ａ、１３３ａ、１３４ａ、１３１ｂ、１３２ｂ、１３３ｂ、１３４ｂ間の放電が個別的になされており、したがって全領域に亘った放電が可能となる。
【００２９】
前述した本発明に係る実施形態によれば、第１、第２バス電極が放電領域の中心とした対称的構造を有する。
【００３０】
図１１は、本発明の第３実施形態に係るＰＤＰの単位画素領域の抜粋斜視図であり、図１２は、本発明の第４実施形態に係るＰＤＰの単位画素領域の抜粋斜視図である。
【００３１】
本発明の第３、第４の実施形態によれば、図１１及び図１２に示されるように前記のようなコーム状バス電極１４０を何れか一方にのみ適用でき、その他方は従来と同様に直線状の放電保持電極１３５及びその上部のバス電極１４２を有することができ、したがってこれも本発明の技術的範囲内に属することは明白である。
【００３２】
図１３は、本発明の第５実施形態に係るＰＤＰの単位画素領域の概略的平面図である。
【００３３】
本発明の第５の実施形態に係るＰＤＰによれば、前述したバス電極の拡張バスライン１４０ｂ、１４１ｂは、図１３に示されるように第１基板と第２基板の間に備えられる隔壁２１０によって覆われるように形成される。ＰＤＰで第１基板と第２基板の間に備えられる隔壁２１０をバス電極の拡張バスラインに対応させ、隔壁２１０によって拡張バスラインが覆われるようにすることによって相互に対向するバスライン間の放電を防止し、拡張バス電極による開口率の縮少を防止しうる。
【００３４】
図１４は、本発明の第６実施形態に係るＰＤＰの単位画素領域の概略的平面図であり、図１５は、本発明の第６実施形態に係るＰＤＰの単位画素領域に適用される隔壁の抜粋斜視図である。
【００３５】
本発明の第６の実施形態によれば、図１４及び図１５に示されるように前記隔壁２１１を複数の四角貫通孔を有する四角格子、すなわちマトリックス状に形成する。この際、前記四角貫通孔２１１ａが単位放電領域に対応し、この隔壁２１１の本体部分はバス電極のメインバスラインと拡張バスラインの両方に対応する形状とする。すなわち、本実施形態での隔壁は、図３に示されるような単純な棒状ではない四角マトリックス構造を有する。
【００３６】
前述したような本発明によれば、単位画素を構成する２つの保持放電電極間の放電が全体的に均一に誘導される。したがって、局部的な放電強度の差を減らし、より均一な輝度の光を発生させ、これにより平均輝度も増加することになる。また、このような全体的に均一な放電によれば、延びた放電距離による陽光柱放電が得られ、これを通じて強い真空紫外線を発生させうる。
【００３７】
以上、本願発明の理解を助けるために幾つかの模範的な実施形態を説明し、図面に図示したが、このような実施形態は単に広い発明を例示し、これを制限しないという点が理解されなければならず、本発明は図示され、説明された構造と配列とに限定されないという点が理解されなければならないが、これは多様な他の修正が当業者によって行われうるからである。
【産業上の利用可能性】
【００３８】
本発明はプラズマ放電を用いる装置、例えば平板ディスプレイパネルに好適に適用されうる。
【図面の簡単な説明】
【００３９】
【図１】従来の面放電型ＰＤＰの概略的な斜視図である。
【図２】従来の面放電型ＰＤＰの放電構造を示す概略的断面図である。
【図３】本発明の第１実施形態に係るＰＤＰの概略的斜視図である。
【図４】本発明に係るＰＤＰに適用されるバス電極の構造を示す斜視図である。
【図５】図４に示された本発明に係るバス電極を抜粋して示す平面図である。
【図６】図４に示されたバス電極により取り囲まれた単位画素領域の抜粋斜視図である。
【図７】図４ないし図６に示された本発明に係るＰＤＰの単位画素での放電構造を説明する平面図である。
【図８】本発明の第２実施形態に係るＰＤＰの単位画素領域の抜粋斜視図である。
【図９】本発明の第２実施形態に係るＰＤＰの単位画素領域の平面図である。
【図１０】図８に示された本発明に係る単位画素での放電構造を説明する図面である。
【図１１】本発明の第３実施形態に係るＰＤＰの単位画素領域の抜粋斜視図である。
【図１２】本発明の第４実施形態に係るＰＤＰの単位画素領域の抜粋斜視図である。
【図１３】本発明の第５実施形態に係るＰＤＰの単位画素領域の概略的平面図である。
【図１４】本発明の第６実施形態に係るＰＤＰの単位画素領域の概略的平面図である。
【図１５】本発明の第６実施形態に係るＰＤＰの単位画素領域に適用される隔壁の抜粋斜視図である。
【符号の説明】
【００４０】
１００    第１基板、
１１０    誘電物質層、
１２０    保護層、
１３０ａ、１３０ｂ    放電保持電極、
１４０、１４１    第１、第２バス電極、
１４０ａ、１４１ａ    メインバスライン、
１４０ｂ、１４１ｂ    拡張バスライン、
２００    第２基板、
２１０    隔壁、
２２０    アドレス電極、
２３０    誘電物質層。
【図１】
2005183391.tif 000003
【図２】
2005183391.tif 000004
【図３】
2005183391.tif 000005
【図４】
2005183391.tif 000006
【図５】
2005183391.tif 000007
【図６】
2005183391.tif 000008
【図７】
2005183391.tif 000009
【図８】
2005183391.tif 000010
【図９】
2005183391.tif 000011
【図１０】
2005183391.tif 000012
【図１１】
2005183391.tif 000013
【図１２】
2005183391.tif 000014
【図１３】
2005183391.tif 000015
【図１４】
2005183391.tif 000016
【図１５】
2005183391.tif 000017